(57)【要約】      （修正有）【課題】傾斜姿勢に育苗ポットを配置することができる展示スタンドを提供する。【解決手段】連結ポット３は、複数の育苗ポット１０を夫々収容する複数の容器部３１が連結されており、周囲に鍔部３４が設けられる。フレーム４は、連結された容器部３１が入り込む枠を傾斜状に支持する。マット２は、枠の左右幅よりも大きく、連結された容器部３１は入り込むが、鍔部３４は入り込めない大きさの開口を有している。連結ポット３を枠に設置したときには、マット２は鍔部３４と枠との間に挟み込まれ、連結ポット３を枠から取り外したときには、マット２も連結ポット３と枠とから取り外し可能となる。【選択図】図１
2013183727.tif 000002
【特許請求の範囲】
【請求項１】
複数の育苗ポットを夫々収容する複数の容器部が連結され、当該連結された周囲に鍔部を有する連結ポットと、
前記連結された容器部が入り込む枠を傾斜状に支持したフレームと、
前記連結された容器部は入り込むが前記鍔部は入り込めない大きさの開口を有し、前記枠の内側縁の左右幅よりも大きな板状のマットであって、前記連結ポットを前記枠に設置したときには前記鍔部と前記枠との間に挟み込まれ、前記連結ポットを前記枠から取り外したときには、当該マットも前記連結ポットと前記枠とから取り外し可能であることを特徴とする展示スタンド。
【請求項２】
請求項１の展示スタンドにおいて、前記枠の下側に他の枠の箇所よりも突出した箇所が設けられていることを特徴とする展示スタンド。
【請求項３】
請求項１の展示スタンドにおいて、前記連結ポットは、１枚の樹脂シートから真空成形されたものであることを特徴とする展示スタンド。
【請求項４】
請求項１の展示スタンドにおいて、前記連結ポットは容器部の底に穴が開けられ、
複数の育苗ポットを夫々収容する底に穴の無い複数の容器部が連結され、当該連結された周囲に鍔部を有する他の連結ポットをさらに具備し、
前記他の連結ポットを前記マットと前記枠との間に挟み込んだことを特徴とする展示スタンド。
【発明の詳細な説明】
【技術分野】
【０００１】
本発明は、育苗ポットに入れられた植物をそのままの状態で寄せ植えのような形態で展示する展示スタンドに関するものである。
【背景技術】
【０００２】
植木鉢やプランターの載置に関し、単なるテーブル状のものや雛壇状に多数の植木鉢を載置すると奥側に置かれた鉢の植物を見にくくなる。また、何れの場合も植物を横側からしかみることができない。これに対して、傾斜姿勢に植木鉢を並べて、植物を斜め上から鑑賞できるようにした載置台が特許文献１に開示されている。
【０００３】
載置台は、栽培部材支持プレートの開口に植木鉢やプランターを挿入する。栽培部材支持プレートは枠体状の回転フレームのガイド溝内に挿入され、回転プレートと共に回転させるようにし、回転プレートの傾斜角度を調整することにより、栽培部材支持プレートを傾斜させることができるようになっている。
【０００４】
このような載置台において植物の間隔が狭ければ、ユーザの所有する複数種類の植木鉢の中から、取捨選択して色々に配列を思考錯誤しながら栽培部材支持プレートの開口に挿入し、載置台が設置された場所に植木鉢がアレンジされた栽培部材支持プレートを持っていって設置することにより寄せ植えされたように植物を楽しむことができ便利である。
【先行技術文献】
【特許文献】
【０００５】
【特許文献１】特開２００１−２０４２５４号公報
【発明の開示】
【発明が解決しようとする課題】
【０００６】
栽培部材支持プレートは、複数の植木鉢が挿入される各開口の裏側には籠状の支持部が設けられている。栽培部材支持プレートは複数の植木鉢が挿入されてから、回転プレートのガイド溝に対して挿入される。このような構造であると、ユーザが植物を取捨選択して色々に配列を思考錯誤しながら栽培部材支持プレートの開口に挿入する作業をしている間に、栽培部材支持プレートには脱落した葉、花びらや鉢に付着した土が落下する。
【０００７】
さらに、栽培部材支持プレートを持ち上げてガイド溝に配置する過程においても、植木鉢の植物の葉や付着した土が落ちて、栽培部材支持プレートを汚染する。また、栽培部材支持プレートの大きさは、回転プレートのガイド溝の間の幅以上に大きくすることができず、意匠性に制限がある。押さえ板を設けた場合は、栽培部材支持プレートの一部範囲を覆って見えなくできるが、表面の形状が栽培部材支持プレートと押さえ板との間で非連続になる。さらに、押さえ板の大きさも押さえる機能を発揮するためには回転プレートのガイド溝の間の幅以上に大きくすることができない。
【０００８】
本発明の目的は、上記課題を解決するもので、寄せ植えを行う際に、植物を取捨選択する過程で落下する葉、花びら、土により支持プレートが汚れることがない展示プレートを提供することにある。尚、所謂、寄せ植えとは、園芸・盆栽用語であり、異種ないしは同種の植物を同じ鉢やプランター、またはじか植えの場合に株元を近接して植えることを言う。本実施例において各植物は夫々の育苗ポットに分けて入れられたままの状態であり、厳密には寄せ植えとは異なるが本実施例では区別なく寄せ植えと言うことにする。
【課題を解決するための手段】
【０００９】
上記目的を達成するため、本発明は、複数の育苗ポットを夫々収容する複数の容器部が連結され、当該連結された周囲に鍔部を有する連結ポットと、前記連結された容器部が入り込む枠を傾斜状に支持したフレームと、前記連結された容器部は入り込むが前記鍔部は入り込めない大きさの開口を有し、前記枠の左右幅よりも大きな板状のマットであって、前記連結ポットを前記枠に設置したときには前記鍔部と前記枠との間に挟み込まれ、前記連結ポットを前記枠から取り外したときには、当該マットも前記連結ポットと前記枠とから取り外し可能であることを特徴とする。
【発明の効果】
【００１０】
本発明によれば、連結ポットに育苗ポットを設置する過程で生じた花びら等の落下物は、設置作業が行われた場所に残される。従って、展示スタンドが設置された箇所において、マットを汚染することがないという効果を有する。
【図面の簡単な説明】
【００１１】
【図１】本実施例の展示スタンドを示す図である。
【図２】マットを示す図である。
【図３】連結ポットを示す図である。
【図４】フレームを示す図である。
【図５】本実施例の展示スタンドの使用例を示す図である。
【図６】他の実施例の連結ポットを示す図である。
【図７】他の実施例を示す図である。
【発明を実施するための最良の形態】
【００１２】
図１は、本実施例による展示スタンド１の斜視図である。図１Ａにおいて、展示スタンド１は、４個の育苗ポット１０を２列２行に載置するものであって、マット２、連結ポット３及びフレーム４によって構成される。連結ポット３には、２列２行の容器部３１が設けられており、夫々の間隔は狭く、図１Ｂに示すように、各容器部３１に育苗ポット１０を寄せ植えの形態に配置する。育苗ポット１０は、一般的には、植物が一株毎に植え付けられており、その大きさは、小さなものでは縦６ｃｍ、横６ｃｍ、高さ６ｃｍ、大きなものでは縦１８ｃｍ、横１８ｃｍ、高さ１５ｃｍ程度であり、縦７．５ｃｍ、横７．５ｃｍ、高さ６.５ｃｍの柔軟な樹脂でできたコップ形状のものが園芸店、ホームセンター等でよく見られる。育苗ポット１０の底面には、排水穴を有する物もある。
【００１３】
図２にマット２を示す。マット２は、板状であって中央に開口２１を有しており、この位置に連結ポット３を搭載する。マット２の表面２２は、連結ポット３に収容される植物の「額」に相当する部分であり、装飾による美しさ或いは素材を無機質に表現する箇所である。マット２は、金属、樹脂等の板であり、特に材質は問わないが、植物が植えられた4つの育苗ポットと連結ポット３を開口２１において支えることが可能な強度を有している。外形は如何なる形態となり得るが、後述する図４Ａのフレームを使用する際には、下辺２３（図面左側）は直線状のものが良い。
【００１４】
図３に連結ポット３を示す。連結ポット３は、樹脂シートを真空成形したものであって、複数の育苗ポット１０を夫々収容する複数の箇所（容器部３１）が連結されたような状態となっている。図３Ｂの示されるＸ−Ｘ断面のように、各容器部３１は底部３２に行くに従って狭くなっており、典型的な育苗ポット１０の形とほぼ同形であり育苗ポット１０を安定的に収容する。各容器部３１の深さは、育苗ポット１０が収まり育苗ポット１０の一部の縁か容器部３１の開口から出る程度の深さである。育苗ポット１０を夫々の箇所に安定的に保持するものであれば、各容器部３１は網状であっても良い。
【００１５】
連結された容器部３１の周囲には鍔部３４が設けられている。鍔部３４は、容器部３１の開口側において一旦容器部３１の縁３３に至り、さらに下に向けて延びる鍔部３４が設けられている。鍔部３４は連結ポット３の周囲に設けられており、樹脂シートのような柔軟素材で作られているにも拘わらず、曲線的な部分３５を有することで鉛直方向に対する強度を有している。
【００１６】
連結された容器部３１の対辺にある鍔部３４の間隔Ｌ１は、マット２の開口２１の対辺の間隔Ｌ２よりも大きい。そして、枠Ｓの開口４６（内側の縁に囲われた部分、図４参照）の左右幅Ｌ３は、間隔Ｌ２より小さい。このため、連結ポット３を開口２１内に入れたときに、鍔部３４の最も低い位置が枠Ｓの内側の縁に当接可能な大きさになっている（図３Ｃ）。つまり、連結された容器部３１は開口２１に入り込めるが、鍔部３４は開口２１には入り込めない。
この状態で、連結ポット３は、その鍔部３４において開口４６を形成する枠Ｓの内側の縁により支えられる。
【００１７】
図４は、フレーム４を示している。フレーム４は、角材４１〜４４を四角形の枠Ｓに組み、四角形の上辺の角材４１から後方に脚４５を張り出して、四角形の枠Ｓを傾斜姿勢に支持する。左右辺の角材４２、４３は、マット２の裏面が載せられる面４２ａ、４３ａを有しており、左右辺の角材４２、４３の間の空間に連結ポット３を収容する。マット２は、枠Ｓの左右の幅よりも大きく、面４２ａ、４３ａがマット２の裏面に当接する位置は図３Ｃにおいて、開口２１に近くても外側の縁に近くても良い。言い換えれば、マット２は、幅方向においては、寸法に制約が無い。このため、フレーム４として、例えば、形状が一定しない自然木を利用した場合には、枠Ｓの左右の内側の縁が曲線になったり、斜めになったりするが、この場合でも、マット２が枠Ｓの内側の縁に当接する幅Ｌ３があれば、連結ポット３を支えることができるのである。尚、枠Ｓの左右の内側の縁全ての範囲においてマット２と当接する必要は無い。
【００１８】
下辺の角材４４による連結ポット３の支持の仕方には、図４Ａ及び図４Ｂに示される２種類の支え方がある。図４Ａのフレーム４においては、枠Ｓの下辺の角材４４は、左右辺の角材４２、４３よりも上側に突出している。図４Ａのフレーム４では、面４２ａ、４３ａにより、マット２を枠Ｓとの間に挟み込むとともに、突出した角材４４の突出面４４ａを利用して、マット２の下辺２３（図１参照）を受ける。
【００１９】
図４Ｂのフレーム４においては、下辺の角材４４は、左右辺の角材４２、４３の面４２ａ、４３ａと同一平面内或いは、やや後退した面４４ｂを有しており、連結ポット３の容器部３１の側面が角材４４の面４４ａに当接することにより、連結ポット３を保持する。図４Ｂのフレームによれば、下辺の角材４４がマット２の下側に隠すことができる。尚、図４Ａ、図４Ｂのいずれのフレーム４においても、上辺の角材４１はマット２の下側に隠れる。
【００２０】
図４Ａのフレーム４において、マット２を下辺の角材４４の上にのせてしまうことも可能である。この場合、マットは枠Ｓの下辺と鍔部３４との間に挟まれ、連結ポット３の容器部３１の側面が角材４４の面４４ａに当接することにより、連結ポット３を保持する。
【００２１】
次に本実施例の展示スタンド１の使用方法について図５を用いて説明する。
まず、寄せ植えを行う作業場において複数種の育苗ポット１０の中から取捨選択して、ユーザの好みの組み合わせで試行錯誤しながら連結ポット３の容器部３１の中に育苗ポット１０を設置する（図５Ａ）。この際、育苗ポット１０の配置を変更したり、別の育苗ポット１０に置き換えられたりすることにより、育苗ポット１０から花びらや葉等が落下する。配列が完成すると連結ポット３を持ち上げて展示スタンド１の設置位置に運ぶが、連結ポット３の鍔部３４の周りに落ちた花びら葉等は作業場に残される。展示スタンド１の設置場所において、連結ポット３はマット２の開口２１に挿入される（図5B）。四角形の枠Ｓの内側に連結ポット３の容器部３１を挿入することにより、連結ポット３の鍔部３４とフレーム４の四角形枠Ｓとの間にマット２を挟んで設置する。
育苗ポットを交換するときには、連結ポット３を枠Ｓから取り外すと、マット２も連結ポット３或いは枠Ｓから取り外し可能な状態になる。
【００２２】
上記のように、寄せ植え作業中に連結ポット３に育苗ポット１０を設置する過程で生じた花びら等の落下物は、マット２を汚染することがない。また、マット２は、連結ポット３の周囲を広い範囲で装飾させることにより、育苗ポット１０から伸びる植物を引き立たせることができる。例えば、育苗ポット１０、連結ポット３及びマット２を黒で統一すると、植物を斜めに置くことにより、マット２の黒を背景としてその中に、植物全体の緑や花の色が浮かび上がり、ボリューム感が増して見える。育苗ポット１０、連結ポット３の黒は、植物の根元の暗がりが溶け込んでマット２の黒へと連続するような効果を出すことができる。
さらに、枠Ｓの開口が連結ポット３に比べて大きくても、開口４６の幅Ｌ３がマット２の左右幅の範囲であれば、連結ポット３を支えることができるのである。
【００２３】
また、連結ポット３は、１枚の樹脂シートを真空成形したものであるので、装飾機能を有し且つ平面で重量を支えるマット２よりも安価に生産することができる。連結ポット３は育苗ポットの土が直接的に触れる部分であり毀損されやすいが、連結ポット３をマット２から取り外し可能な安価な交換部品としておくことにより、装飾品である展示スタンド１を綺麗なままで長期間使用することが出来る。
【００２４】
上記実施例では、底に排水穴を有していない育苗ポット１０を用いて説明したが、育苗ポット１０に排水穴がある場合は、水を連結ポット３側で受け、かつ溜めて置けるようにしておくのが良い。図３Ｄには、このような場合の例を示している。
【００２５】
まず、マット２の上側と下側に連結ポット３、３’を配置する。両方の連結ポット３、３’は同じものでかまわないが、上側の連結ポット３の底３２には、穴３６を開け、下側の連結ポット３’は穴３６の無い状態にする。下側の連結ポット３’の鍔部３４をマット２と枠Ｓを構成する左右の角材４２,４３で挟みこむことにより固定する。育苗ポット１０の外側の底は、上側連結ポット３の内側の底３２に接触した状態であり、育苗ポット１０の排水穴から流れた水ｗは上側の連結ポット３の穴３６を通して下側の連結ポット３’内に流れ込む。下側の連結ポット３’は、マット２の厚さだけ上側の連結ポット３から離れており、上下の連結ポット３の間には空間が存在する。そして、下側の連結ポット３’の底３２には穴がないため、この位置に水ｗを溜めることが出来る。
上記例において、上側連結ポット３の容器部３１を網状のものとしておくことでも良い。
【００２６】
上記実施例においては、連結ポット３の鍔部３４は、容器部３１の開口側において一旦容器部３１の縁部３３に至り、さらに下に向けて延びる形状をしているが、図６に示すように、容器部３１の開口側から水平状に伸びる鍔部３４でも良い。先に述べた実施例に比べて、鍔部３４を厚くする等の強度対策をして、マット２の開口２１内に連結ポット３が落ち込んでしまわないようにしておく。
【００２７】
図７は、屋外の設置に適したフレーム４の例を示す。図７Ａにおいて、鉄筋Ｆを立方体に組み上げて、上面Ｕを水平面である底面Ｔに対して傾斜させている（傾斜角度θは４５度〜５０度）。図７Ｂは、展示スタンド１が育苗ポットを４つ搭載している例を示している。育苗ポット及び連結ポットは、寄せ植えされた４種類の植物に覆われて殆ど見えない。マット２は、枠Ｓよりも大きく、かつ小石をモールドしたテクスチャを有しており、マット２自体が化粧板として植物を引き立たせている。
【００２８】
上記実施例において、枠Ｓは、角部が曲線でつながれていても良く、また連結ポット３が収容する育苗ポット１０の個数に応じて、三角形状、六角形状等の形状を有するものであってよい。連結ポット３は、真空成形以外の成形法で樹脂を成形したものであっても、金属や金網を成形したものであっても良い。
【符号の説明】
【００２９】
１：展示スタンド
２：マット
３：連結ポット
４：フレーム
１０：育苗ポット
Ｓ：枠
【図１】
2013183727.tif 000003
【図２】
2013183727.tif 000004
【図３】
2013183727.tif 000005
【図４】
2013183727.tif 000006
【図５】
2013183727.tif 000007
【図６】
2013183727.tif 000008
【図７】
2013183727.tif 000009